【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
第１の機関のサーバにネットワークアクセス可能なアカウントを有するユーザについてのパーソナライゼーションデータを収集し、
前記ユーザについての前記パーソナライゼーションデータに基づき、前記第１の機関の前記サーバに保持されている機関リストから、前記ユーザがアカウントを所有している可能性のある１つまたは複数の他の機関であって、前記第１の機関によって提供されるものではないネットワークアクセス可能なアカウントを提供する前記１つまたは複数の他の機関のリストを自動的に生成し、
ユーザインタフェースを介して前記１つまたは複数の他の機関のリストを前記ユーザに提示し、
前記機関リストから生成された前記１つまたは複数の他の機関のリストから選択された少なくとも１つの第２の機関を、前記ユーザから受信し、
前記ユーザによって選択された前記少なくとも１つの第２の機関によって提供される少なくとも１つのネットワークアクセス可能なアカウントについてのアクセス情報を、前記ユーザから受信し、
その少なくとも１つのネットワークアクセス可能なアカウントをアカウントの集計へ追加し、前記アカウントの集計を前記ユーザインタフェースに表示することを備える方法。
【請求項２】
前記パーソナライゼーションデータは予め定義されたユーザグループによって共有される特性を含む請求項１に記載の方法。
【請求項３】
前記特性は地理的ロケーション、コンピュータのタイプ、オペレーティングシステムのタイプ、ウェブナビゲーションのパターン及び金融アカウントにおける金額のうちの１つを含む請求項２に記載の方法。
【請求項４】
前記パーソナライゼーションデータは、
前記ユーザへパーソナライゼーションテストを供給する工程と、
前記パーソナライゼーションテストからの前記ユーザの１つまたは複数の回答を分析する工程をを介して決定される請求項１に記載の方法。
【請求項５】
前記パーソナライゼーションデータの収集は、前記ユーザに関連づけられる特性を自動的に収集することをさらに含む請求項１に記載の方法。
【請求項６】
前記少なくとも１つの第２の機関を前記ユーザから受信することは、前記１つまたは複数の可能性のある機関を、機関サブリストとして、前記ユーザに表示することをさらに含む請求項１に記載の方法。
【請求項７】
前記１つまたは複数の他の機関のリストを自動的に生成することは、前記第１の機関と関係を有する１つ又は複数の機関を決定することをさらに含む請求項１に記載の方法。
【請求項８】
前記第１の機関と関係を有する１つ又は複数の機関を決定することは、
前記第１の機関と関係を有する１つ又は複数の機関を同定する工程と、
前記関係に基づいて前記第１の機関と関係を有する１つ又は複数の機関を順序づける工程をさらに備える請求項７に記載の方法。
【請求項９】
前記関係は競争を含む請求項７に記載の方法。
【請求項１０】
前記関係は協力を含む請求項７に記載の方法。
【請求項１１】
前記アクセス情報は、
前記アカウントのユーザ識別子と、
アカウント認証符号を含む請求項１に記載の方法。
【請求項１２】
前記ネットワークアクセス可能なアカウントのアクセス情報は前記ネットワークアクセス可能なアカウントを自動的にネットワーク上でアクセス可能にする請求項１に記載の方法。
【請求項１３】
前記ユーザについての前記データは、名前、地理的ロケーション、前記ユーザにより使用されるコンピュータシステム及びウェブナビゲーションの履歴のうちの少なくとも１つを含む請求項１に記載の方法。
【請求項１４】
前記ユーザへ１つまたは複数のアカウントを提供する工程をさらに備える請求項１に記載の方法。
【請求項１５】
前記ユーザについての前記パーソナライゼーションデータは前記第１の機関によって提供される前記アカウントに関する情報を含む請求項１４に記載の方法。
【請求項１６】
前記情報は前記第１の機関によって提供される第１のアカウントの残高を含む請求項１５に記載の方法。
【請求項１７】
前記ユーザから、前記第１の機関により提供される、選択された第１のアカウントを受信し、
前記第１のアカウントを前記アカウントの集計へ追加することをさらに備える請求項１に記載の方法。
【請求項１８】
前記第１の機関は金融機関を含み、本方法は前記第１の機関により１つまたは複数の金融アカウントを前記ユーザへ提供することをさらに備える請求項１に記載の方法。
【請求項１９】
前記少なくとも１つの第２の機関を前記ユーザから受信することは、金融アカウントを提供する前記１つまたは複数の他の機関から金融機関を選択することをさらに含む請求項１に記載の方法。
【請求項２０】
前記少なくとも１つの第２の機関を前記ユーザから受信することは、電子メールアカウント、マイレージアカウントまたはカレンダーアカウントを提供する前記１つまたは複数の他の機関のリストから機関を選択することをさらに含む請求項１に記載の方法。
【請求項２１】
前記少なくとも１つのネットワークアクセス可能なアカウントについてのアクセス情報を前記ユーザから受信することにより、前記少なくとも１つのネットワークアクセス可能なアカウントにおけるデータが、前記第１の機関の前記サーバにおいて利用可能になる、請求項１に記載の方法。
【請求項２２】
前記機関リストから前記１つまたは複数の他の機関のリストを自動的に生成することは、前記１つ又は複数の他の機関を生成するための条件を規定したルールを、前記ユーザについての前記パーソナライゼーションデータ及び前記機関リストのうちの少なくとも１つに対して適用することを含む請求項１に記載の方法。
【請求項２３】
少なくとも１つのプロセッサを備えるサーバと、
第１の機関によって管理されるデータベースと、
前記第１のサーバへのウェブページインタフェースと、
前記少なくとも１つのプロセッサによって実行されたときに前記サーバを動作させるように構成された命令を備えるプログラムを格納する記憶手段とを備え、前記命令が、
前記データベースからユーザについてのパーソナライゼーションデータへアクセスし、
前記ユーザについての前記パーソナライゼーションデータに基づき、前記第１の機関に保持されている機関リストから、前記ユーザがアカウントを所有している可能性のある１つまたは複数の他の機関であって、前記第１の機関によって提供されるものではないネットワークアクセス可能なアカウントを提供する前記１つまたは複数の他の機関のリストを自動的に生成し、
前記インタフェースを介して前記１つまたは複数の他の機関のリストを前記ユーザに提示し、
前記機関リストから生成された前記１つまたは複数の他の機関のリストから選択された少なくとも１つの第２の機関を、前記ユーザから受信し、
前記ユーザによって選択された前記少なくとも１つの第２の機関によって提供される少なくとも１つのネットワークアクセス可能なアカウントについてのアクセス情報を、前記ユーザから受信し、
その少なくとも１つのネットワークアクセス可能なアカウントをアカウントの集計へ追加し、前記アカウントの集計を前記インタフェースに表示すること
を前記サーバに実行させるように構成されている、システム。
【請求項２４】
前記プログラムは、
前記ユーザへパーソナライゼーションテストを供給し、
前記パーソナライゼーションテストからのユーザの１つまたは複数の回答を分析することを前記サーバに実行させるように構成されている命令をさらに備える請求項２３記載のシステム。
【請求項２５】
前記パーソナライゼーションテストは予め定義されたユーザグループによって共有される特性を含む請求項２４記載のシステム。
【請求項２６】
前記プログラムは、前記１つまたは複数の他の機関のリストを前記ユーザへ表示することを前記サーバに実行させるように構成されている命令をさらに備える請求項２３記載のシステム。
【請求項２７】
前記プログラムは、
前記リストから、その業務が前記第１の機関の業務との関係を有する１つまたは複数の機関を同定し、
前記リストの表示において前記同定された１つまたは複数の機関に優先順位をつけることを前記サーバに実行させるように構成されている命令をさらに備える請求項２６記載のシステム。
【請求項２８】
前記関係は競争を含む請求項２７記載のシステム。
【請求項２９】
前記関係は協力を含む請求項２７記載のシステム。
【請求項３０】
前記アクセス情報は、
前記アカウントのユーザ識別子と、
アカウント認証符号を含む請求項２３記載のシステム。
【請求項３１】
前記ネットワークアクセス可能なアカウントのアクセス情報は、前記ネットワークアクセス可能なアカウントを自動的にネットワーク上でアクセス可能にする請求項３０記載のシステム。
【請求項３２】
前記ユーザについての前記データは、名前、地理的ロケーション、前記ユーザにより使用されるコンピュータシステム及びウェブナビゲーションの履歴のうちの少なくとも１つを含む請求項２３記載のシステム。
【請求項３３】
前記第１の機関は前記ユーザへ１つまたは複数のアカウントを提供する請求項２３記載のシステム。
【請求項３４】
前記ユーザについての前記パーソナライゼーションデータは前記第１の機関によって提供されるアカウントに関する情報を含む請求項２３記載のシステム。
【請求項３５】
前記情報は前記第１の機関によって提供される第１のアカウントの残高を含む請求項３４記載のシステム。
【請求項３６】
前記プログラムは、
前記第１の機関により提供されるアカウントから選択した第１のアカウントを前記ユーザから受信し、
前記第１のアカウントを前記アカウントの集計へ追加することを前記サーバに実行させるように構成されている命令をさらに備える請求項２３記載のシステム。
【請求項３７】
前記第１の機関は金融機関を含み、かつ前記第１の機関は１つまたは複数の金融アカウントを前記ユーザへ提供する請求項２３記載のシステム。
【請求項３８】
前記少なくとも１つの第２の機関を前記ユーザから受信することを前記サーバに実行させるように構成されている命令が、金融アカウントを提供する前記１つまたは複数の他の機関から金融機関を選択することを前記サーバに実行させるように構成されている命令をさらに備える請求項２３記載のシステム。
【請求項３９】
前記少なくとも１つの第２の機関を前記ユーザから受信することを前記サーバに実行させるように構成されている命令が、電子メールアカウント、マイレージアカウントまたはカレンダーアカウントを提供する機関のリストから選択された前記１つ又は複数の他の機関を選択することを前記サーバに実行させるように構成されている命令をさらに備える請求項２３記載のシステム。
【請求項４０】
前記少なくとも１つのネットワークアクセス可能なアカウントについてのアクセス情報を前記ユーザから受信することを前記サーバに実行させるように構成されているプログラム命令が、前記少なくとも１つのネットワークアクセス可能なアカウントにおけるデータを、前記第１の機関の前記サーバにおいて利用可能になるようにすることを前記サーバに実行させるように構成されている命令をさらに備える請求項２３記載のシステム。
【請求項４１】
前記機関リストから前記１つまたは複数の他の機関のリストを自動的に生成することを前記サーバに実行させるように構成されているプログラム命令が、
前記１つ又は複数の他の機関を生成するための条件を規定したルールを、前記ユーザについての前記パーソナライゼーションデータ及び前記機関リストのうちの少なくとも１つに対して適用することを前記サーバに実行させるように構成されている命令をさらに備える請求項２３記載のシステム。
【請求項４２】
第１の機関のサーバにネットワークアクセス可能なアカウントを有するユーザについてのパーソナライゼーションデータを収集し、
前記ユーザについての前記パーソナライゼーションデータに基づき、前記第１の機関の前記サーバに保持されている機関リストから、前記ユーザがアカウントを所有している可能性のある１つまたは複数の他の機関であって、前記第１の機関によって提供されるものではないネットワークアクセス可能なアカウントを提供する前記１つまたは複数の他の機関のリストを自動的に生成し、
ユーザインタフェースを介して前記１つまたは複数の他の機関のリストを前記ユーザに提示し、
前記機関リストから生成された前記１つまたは複数の他の機関のリストから選択された少なくとも１つの第２の機関を、前記ユーザから受信し、
前記ユーザによって選択された前記少なくとも１つの第２の機関によって提供される少なくとも１つのネットワークアクセス可能なアカウントについてのアクセス情報を、前記ユーザから受信し、
その少なくとも１つのネットワークアクセス可能なアカウントをアカウントの集計へ追加し、前記アカウントの集計を前記ユーザインタフェースに表示することを１つまたは複数のマシンに実行させるように構成された命令が格納された機械読み取り可能記憶媒体を備える物品。